(57)【要約】【課題】天面壁（８）及びこの天面壁（８）の周縁から垂下するスカート壁（１０）を有する本体（４）と周方向に間隔をおいて配設された複数個の破断可能橋絡部（２６）を介して本体のスカート壁に接続されたタンパーエンビデント裾部（６）とを含み、周方向特定範囲に規定されている特異領域（３６）においてはスカート壁とタンパーエビデント裾部との間には総面積が大きい空隙が存在する合成樹脂製容器蓋を改良して、特異領域においては総面積が大きい空隙が存在する形態であるにも拘らず、破断可能橋絡部が維持されているか否かの検査に従来の検査様式を適用することができるようにせしめる。【解決手段】特異領域以外の領域において、特異領域以外の領域においては、スカート壁の下端とタンパーエビデント裾部の上端との間隙（２８）を特異領域における空隙に対して軸線方向下方或いは上方に変位せしめる。【選択図】図３
2011031912.tif 000002
【特許請求の範囲】
【請求項１】
口頸部の外周面には雄螺条及び該雄螺条の下方に位置する係止あご部が形成されている容器に適用される合成樹脂製容器蓋であって、天面壁及び該天面壁の周縁から垂下する筒状スカート壁を有し、該スカート壁の内周面には該雄螺条に螺合せしめられる雌螺条が形成されている本体と、周方向に間隔をおいて配設された複数個の破断可能橋絡部を介して該本体の該スカート壁に接続され、内周面には該係止あご部に係止せしめられる係止手段が配設されている筒状タンパーエビデント裾部とを含み、周方向特定範囲に規定されている特異領域においては該スカート壁と該タンパーエビデント裾部との間には総面積が大きい空隙が存在する合成樹脂製容器蓋において、
該特異領域以外の領域においては、該スカート壁の下端と該タンパーエビデント裾部の上端との間隙が該特異領域における該空隙に対して軸線方向下方或いは上方に変位せしめられている、ことを特徴とする合成樹脂製容器蓋。
【請求項２】
該特異領域においては、該スカート壁には下方に突出する突出片が配設されており、該突出片の周方向両側には該スカート壁と該タンパーエビデント裾部とを接続し且つ該タンパーエビデント裾部に対して該本体が上方に移動せしめられると鉛直線に対する傾斜角度が漸次減少せしめられる傾動部を有する非破断接続片が配設されており、該非破断接続片の各々は、傾動方向が相互に逆である２個の傾動部を含む、請求項１記載の合成樹脂製容器蓋。
【請求項３】
該非破断接続片の一方は、下方に向かって傾斜して或いは実質上水平に周方向片側に延びる第一の傾動部と該第一の傾動部に続いて下方に向かって傾斜して或いは実質上水平に周方向他側に延びる第二の傾動部を有し、該非破断接続片の他方は、下方に向かって傾斜して或いは実質上水平に周方向他側に延びる第一の傾動部と該第一の傾動部に続いて下方に向かって傾斜して或いは実質上水平に周方向片側に延びる第二の傾動部を有する、請求項２記載の合成樹脂製容器蓋。
【発明の詳細な説明】
【技術分野】
【０００１】
本発明は、天面壁及びこの天面壁の周縁から垂下するスカート壁を有する本体と周方向に間隔をおいて配設された複数個の破断可能橋絡部を介して本体のスカート壁に接続されたタンパーエビデント裾部とを含み、周方向特定範囲に規定されている特異領域においてはスカート壁とタンパーエビデント裾部との間には総面積が大きい空隙が存在する合成樹脂製容器蓋に関する。
【背景技術】
【０００２】
下記特許文献１には、容器の口頸部を開封した後においても容器蓋の全体が容器から分離されることがない型のタンパーエビデント特性を備えた合成樹脂製容器蓋が開示されている。かかる合成樹脂製容器蓋は、天面壁及びこの天面壁の周縁から垂下する筒状スカート壁を有し、スカート壁の内周面には容器の口頸部に形成されている雄螺条に螺合せしめられる雌螺条が形成されている本体と、周方向に間隔をおいて配設された複数個の破断可能橋絡部を介して本体のスカート壁に接続され、内周面には容器の口頸部に形成されている係止あご部に係止せしめられる係止手段が配設されている筒状タンパーエビデント裾部とを含む。本体のスカート壁には下方に突出する突出片が配設されており、突出片の周方向両側には、本体のスカート壁とタンパーエビデント裾部とを接続し且つタンパーエビデント裾部に対して本体が上方に移動せしめられると鉛直線に対する傾斜角度が漸次減少せしめられる傾動部を有する非破断接続片が配設されている。
【先行技術文献】
【特許文献】
【０００３】
【特許文献１】特開２００８−５６２４６号公報
【特許文献２】特開２００５−１８９１６７号公報
【発明の概要】
【発明が解決しようとする課題】
【０００４】
更に、発明者等は、上記合成樹脂製容器蓋の改良として、先に、特願２００８−１７８２２５において、非破断接続片の各々を傾動方向が相互に逆である２個の傾斜部を含む形態にすることを提案した。
【０００５】
然るに、上述した如き合成樹脂製容器蓋には、周方向特定範囲に規定されている特異領域、即ち突出片及び一対の非破断接続片が配設されている特異領域において、スカート壁とタンパーエビデント裾部との間に総面積が大きい空隙が存在することに起因して、次のとおりの問題が存在する。タンパーエビデント特性を有する合成樹脂製容器蓋においては、容器の口頸部に容器蓋を所要とおりに装着して容器の口頸部を密封する際には、本体のスカート壁にタンパーエビデント裾部を接続している複数個の破断可能橋絡部が破断されることなく維持されることが重要である。破断可能橋絡部が破断されてしまうと、悪戯等によって容器の口頸部の密封が解除されてしまった不良製品と認定されてしまう。そこで、容器の口頸部に容器蓋を所要とおりに装着して容器の口頸部を密封した後に、破断可能橋絡部が破断されることなく維持されているか否かを検査している。かかる検査は、一般に、上記特許文献２に開示されている検査様式によって遂行されている。上記特許文献２に開示されている検査様式においては、容器蓋の天面壁の上方から光照射した状態で容器蓋のスカート壁とタンパーエビデント裾部との境界領域を周方向に複数個の範囲に分割して撮像し、撮像した画像中の影の面積が閾値を越えるか否を判別している。破断可能橋絡部が破断されてしまうと、スカート壁の下端とタンパーエビデント裾部の上端との間隔が局部的に拡大され、これに起因して影の面積が増大せしめられる。しかしながら、特異領域においてはスカート壁とタンパーエビデント裾部との間に総面積が大きい空隙が存在する形態の合成樹脂製容器蓋の場合には、特異領域においては総面積が大きい空隙が存在することに起因して、撮像した画像中の影の面積が必然的に過大になり、それ故に上述したとおりの検査様式を適用することができない。
【０００６】
本発明は上記事実に鑑みてなされたものであり、その主たる技術的課題は、特異領域においてはスカート壁とタンパーエビデント裾部との間に総面積が大きい空隙が存在する形態であるにも拘らず、破断可能橋絡部が維持されているか否かの検査に上述したとおりの検査様式を適用することができる合成樹脂製容器蓋を提供することである。
【課題を解決するための手段】
【０００７】
本発明においては、上記技術的課題を達成するために、特異領域以外の領域においては、スカート壁の下端とタンパーエビデント裾部の上端との間隙を特異領域における空隙に対して軸線方向下方或いは上方に変位せしめる。
【０００８】
即ち、本発明によれば、上記技術的課題を達成する合成樹脂製容器蓋として、口頸部の外周面には雄螺条及び該雄螺条の下方に位置する係止あご部が形成されている容器に適用される合成樹脂製容器蓋であって、天面壁及び該天面壁の周縁から垂下する筒状スカート壁を有し、該スカート壁の内周面には該雄螺条に螺合せしめられる雌螺条が形成されている本体と、周方向に間隔をおいて配設された複数個の破断可能橋絡部を介して該本体の該スカート壁に接続され、内周面には該係止あご部に係止せしめられる係止手段が配設されている筒状タンパーエビデント裾部とを含み、周方向特定範囲に規定されている特異領域においては該スカート壁と該タンパーエビデント裾部との間には総面積が大きい空隙が存在する合成樹脂製容器蓋において、
該特異領域以外の領域においては、該スカート壁の下端と該タンパーエビデント裾部の上端との間隙が該特異領域における該空隙に対して軸線方向下方或いは上方に変位せしめられている、ことを特徴とする合成樹脂製容器蓋が提供される。
【０００９】
好適実施形態においては、該特異領域においては、該スカート壁には下方に突出する突出片が配設されており、該突出片の周方向両側には該スカート壁と該タンパーエビデント裾部とを接続し且つ該タンパーエビデント裾部に対して該本体が上方に移動せしめられると鉛直線に対する傾斜角度が漸次減少せしめられる傾動部を有する非破断接続片が配設されており、該非破断接続片の各々は、傾動方向が相互に逆である２個の傾動部を含む。該非破断接続片の一方は、下方に向かって傾斜して或いは実質上水平に周方向片側に延びる第一の傾動部と該第一の傾動部に続いて下方に向かって傾斜して或いは実質上水平に周方向他側に延びる第二の傾動部を有し、該非破断接続片の他方は、下方に向かって傾斜して或いは実質上水平に周方向他側に延びる第一の傾動部と該第一の傾動部に続いて下方に向かって傾斜して或いは実質上水平に周方向片側に延びる第二の傾動部を有するのが好適である。
【発明の効果】
【００１０】
本発明の合成樹脂製容器蓋においては、特異領域以外の領域においては、スカート壁の下端とタンパーエビデント裾部の上端との間隙が特異領域における空隙に対して軸線方向下方或いは上方に変位せしめられている。従って、特異領域の空隙よりも下方或いは上方においてスカート壁とタンパーエビデント裾部との境界領域の画像を撮像し、撮像した画像中における影の面積を検出することによって、特異領域における空隙の影響を受けることなく破断可能橋絡部が維持されているか否かを検査することができる。特異領域においては破断可能橋絡部が存在しないので、特異領域においてはスカート壁とタンパーエビデント裾部との境界領域の画像が撮像されないことによって、破断可能橋絡部が維持されているか否かを検査問題が発生することはない。
【図面の簡単な説明】
【００１１】
【図１】本発明に従って構成された容器蓋の好適実施形態を示す斜面図。
【図２】図１の容器蓋の、一部を断面で示す正面図。
【図３】図１の容器蓋を容器の口頸部に装着した状態を、一部を断面で示す正面図。
【図４】図１の容器蓋の本体を容器の口頸部から離脱せしめるために本体を開方向に回転せしめて上昇せしめた開封操作中間状態を示す正面図。
【図５】図１の容器蓋の本体を容器の口頸部から離脱せしめて所定位置に保持した状態を示す正面図。
【発明を実施するための形態】
【００１２】
以下、本発明に従って構成された合成樹脂製容器蓋の好適実施形態を図示している添付図面を参照して、更に詳述する。
【００１３】
図１及び図２を参照して説明すると、ポリエチレン又はポリプロピレンの如き適宜の合成樹脂から射出成形（又は圧縮成形）によって好都合に一体成形することができる、全体を番号２で示す容器蓋は、本体４とタンパーエビデント裾部６とを含んでいる。本体４は円形天面壁８とこの天面壁８の周縁から垂下する円筒形状のスカート壁１０を有する。天面壁８の上面中央部には射出成形の際に突起が生成されるのを回避するための円形凹部１２が形成されている。天面壁８の内面には２条のシール突条、即ち内側環状突条１４及び外側環状突条１６が形成されている。スカート壁１０の外周面にはそこに掛けられる指の滑りを防止するための凹凸１８が繰り返し形成されている。スカート壁１０の内周面には雌螺条２０が形成されている。この雌螺条２０には周方向に間隔をおいて切欠２２が形成されている。天面壁８の外面周縁部には、雌螺条２０の先端即ち下端の角度位置を表示する平坦化部位２４（図１）が形成されている。
【００１４】
タンパーエビデント裾部６は全体として円筒形状であり、周方向に間隔をおいて配設された複数個の破断可能橋絡部２６を介して本体４のスカート壁１０に接続させている。図２に図示する如く、破断可能橋絡部２６の各々は、スカート壁１０の内周面下端部に接続された上部からスカート壁１０の下端とタンパーエビデント裾部６の上端との間の間隙２８を跨いでタンパーエビデント裾部６の内面上端部に接続された下部まで延びる接続片から構成されている。タンパーエビデント裾部６の内周面には係止手段３２が配設されている。図示の実施形態における係止手段３２は、周方向に間隔をおいて配設された複数個の係止片３４から構成されており、係止片３４の各々はタンパーエビデント裾部６の内周面から半径方向内方に傾斜して上方に延出せしめられている。係止片３４の内面には矩形凹部３５が形成されている。
【００１５】
図示の容器蓋２における上述したとおりの構成は、本発明に従って構成された容器蓋２の新規な特徴を構成するものではなく、それ自体は周知の形態でよく、従ってこれらについての詳細な説明は本明細書においては省略する。
【００１６】
図１及び図２を参照して説明を続けると、周方向特定範囲に規定されている特異領域３６において、スカート壁１０とタンパーエビデント裾部６との間には正面図において周方向中央部を除いて略横長矩形状であり周方向中央部では下方に拡張せしめられている開口３８が生成されている。開口３８の周方向中央部において、スカート壁１０には下方に突出する全体として舌形状である突出片４０が形成されている。突出片４０は実質上垂直に垂下し、次いで半径方向外方に若干変位した後に実質上鉛直に垂下しており、その外面には段部４２が形成されている。図５を参照することによって理解される如く、天面壁８の外面周縁部には、開口３８に対して直径方向反対側に周方向に若干の間隔をおいて２個の平坦化部位４１（図７には一方の平坦化部位４１のみを図示している）が形成されている。
【００１７】
本発明に従って構成された容器蓋２においては、上記特異領域３６以外の領域においては、スカート壁１０の下端とタンパーエビデント裾部６の上端との間の間隙２８が特異領域３６における空隙に対して軸線方向下方或いは上方に変位せしめられていることが重要である。図示の実施形態においては、図１及び図２に明確に図示する如く、特異領域３６以外の領域におけるスカート壁１０の下端とタンパーエビデント裾部６の上端との間の間隙２８は、特異領域３６における空隙、即ち開口３８における周方向中央部の下縁より更に幾分軸線方向下方に変位せしめられている。
【００１８】
上記開口３８内には、一対の非破断接続片４４ａ及び４４ｂが配設されている。図示の実施形態における非破断接続片４４ａは、スカート壁１０の下端縁に接続された上端部４６ａ、この上端部４６ａに続いて周方向片側（図１及び図２において左側）に実質上水平に延びる第一の傾動部４８ａ、第一の傾動部４８ａの先端部（左端部）から下方に延びる中間部５０ａ、中間部５０ａに続いて周方向他側（図１及び２において右側）に実質上水平に延びる第二の傾動部５２ａ、及び第二の傾動部５２ａの先端部（右端部）をタンパーエビデント裾部６に接続している下端部５４ａから構成されている。非破断接続片４４ｂは非破断接続片４４ａと線対称形状であり、スカート壁１０の下端縁に接続された上端部４６ｂ、この上端部４６ｂに続いて周方向他側（図１及び図２において右側）に実質上水平に延びる第一の傾動部４８ｂ、第一の傾動部４８ａの先端部（右端部）から下方に延びる中間部５０ｂ、中間部５０ｂに続いて周方向片側（図１及び２において左側）に実質上水平に延びる第二の傾動部５２ｂ、及び第二の傾動部５２ｂの先端部（左端部）をタンパーエビデント裾部６に接続している下端部５４ｂから構成されている。
【００１９】
図１及び図２から明確に理解される如く、特異領域３６においては、突出片４０の下方、突出片４０の両側縁と一対の非破断接続片４４ａ及び４４ｂとの間、並びに一対の非破断接続片４４ａ及び４４ｂにおける第一の傾動部４８ａ及び４８ｂの上方、第二の傾動部５２ａ及び５２ｂの下方、第一の傾動部４８ａ及び４８ｂと第二の傾動部５２ａ及び５２ｂとの間に比較的大きな空隙が存在し、空隙の総面積は相当な大きさである。
【００２０】
図３には、容器蓋２と共に容器の口頸部５８も図示されている。ポリエチレンテレフタレートの如き適宜の合成樹脂或いはガラスから形成することができる容器の口頸部５８は全体として円筒形状であり、その上面は開口されている。口頸部５８の外周面には、雄螺条６０とこの雄螺条６０の下方に位置する係止あご部６２が形成されている。
【００２１】
口頸部５８に容器蓋２を装着して口頸部５８を密封する際には、口頸部５８に容器蓋２を被嵌して閉方向（図３において上方から見て時計方向）に回転せしめ、口頸部５８の雄螺条６０に容器蓋２の雌螺条２０を螺合せしめる。雄螺条６０に対する雌螺条２０の螺合の進行に応じて容器蓋２は口頸部５８に対して漸次下降する。図３に図示する状態まで口頸部５８に対して容器蓋２が下降せしめられると、容器蓋２の本体４における天面壁８の内面に形成されている内側環状突条１４及び外側環状突条１６が夫々口頸部５８の内周面及び外周面に密接せしめられ、これによって口頸部５８が密封される。容器蓋２のタンパーエビデント裾部６の内周面に配設されている係止手段３２は口頸部５８の係止あご部６２を弾性的に乗り越えて係止あご部６２の下面に係止せしめられる。
【００２２】
上述したとおりにして容器の口頸部５８に容器蓋２を装着して口頸部５８を密封する際には、稀ではあるが、本体４のスカート壁１０とタンパーエビデント裾部６とを接続している破断可能橋絡部２６に過剰の応力が生成され破断可能橋絡部２６が破断されてしまうことがある。そこで、製品の出荷に先立って、容器の口頸部５８に容器蓋２を装着した後に、破断可能橋絡部２６が維持されているか否か、換言すれば破断されていないか否かを検査することが重要である。かかる検査は、上記特許文献２に開示されている如く、容器蓋２の天面壁８の上方から光照射した状態で、スカート壁１０とタンパーエビデント裾部６との境界領域（即ち間隙２８が存在する領域）を周方向に適宜に分割して（例えば６０度の角度範囲に渡る６個の領域に分割して）撮像し、撮像した画像における影の面積が所定閾値を超えるか否かを判別することによって遂行される。然るに、本発明に従って構成された容器蓋２においては、総面積が大きい空隙が存在する特異領域３６以外、即ち総面積が大きい空隙が存在しない通常領域においては、スカート壁１０の下端とタンパーエビデント裾部６の上端との間の間隙２８が特異領域３６における空隙に対して軸線方向下方に変位されている。従って、例えば境界領域として図２に符号ｘで示す領域を選定すると、スカート壁１０とタンパーエビデント裾部６との境界領域（即ち間隙２８が存在する領域）の画像には特異領域３６における総面積が大きい空隙は含まれず、特異領域における空隙の影響を受けることなく破断可能橋絡部が維持されているか否かを検査することができる。破断可能橋絡部２６が破断されてしまうと、スカート壁１０の下端縁とタンパーエビデント裾部６の上端縁との間の間隙２８が相当増大され、これに応じて相当大きな影が付加的に生成されて、影の面積が相当増大せしめられ（従って影の面積が所定閾値を超え）、かくして破断可能橋絡部２６が破断されてしまったことが検出される。
【００２３】
口頸部５８を開封する際には、容器蓋２を開方向（図３において上方から見て反時計方向）に回転せしめ、口頸部５８の雄螺条６０に対する容器蓋２の雌螺条２０の螺合を漸次解除する。螺合を漸次解除すると容器蓋２の本体４は開方向に回転せしめられると共に上昇せしめられるが、タンパーエビデント裾部６は係止手段３２が口頸部５８の係止あご部６２に係止しているので上昇が阻止され、これに起因して破断可能橋絡部２６に相当な応力が生成され、破断可能橋絡部２６が破断される。しかる後においては、容器蓋２の本体２は開方向への回転と共に上昇し、タンパーエビデント裾部６から上方に漸次離間せしめられる。図３と共に図４を参照することによって明確に理解される如く、タンパーエビデント裾部６から本体４が漸次上方に離間せしめられると、非破断接続片４４ａの第一の傾動片４８ａ及び非破断接続片４４ｂの第二の傾動部５２ｂは夫々の上端及び下端を中心として図３及び図４において反時計方向に旋回、即ち反時計方向に傾動され、一方非破断接続片４４ａの第二の傾動片５２ａ及び非破断接続片４４ｂの第一の傾動部４８ｂは夫々の下端及び上端を中心として図３及び図４において時計方向に旋回、即ち時計方向に傾動され、これに応じて非破断接続片４４ａ及び４４ｂにおける第一の傾動部４８ａ及び４８ｂ並びに第二の傾動部５２ａ及び５２ｂの鉛直線に対する傾斜角度αが漸次低減される。図３及び図４と共に図５を参照することによって明確に理解される如く、口頸部５８の雄螺条６０に対する容器蓋２の雌螺条２０の螺合が完全に解除されると、容器蓋２の本体４は口頸部５８から離脱される。しかしながら、本体４は非破断接続片４４ａ及び４４ｂを介して、口頸部５８に装着され続けているタンパーエビデント裾部６に接続され続けている故に、容器の口頸部５８から離間されることはない。
【００２４】
非破断接続片４４ａ及び４４ｂは傾動方向が相互に逆である２個の傾動部即ち第一の傾動部４８ａ及び第二の傾動部５２ａ並びに第一の傾動部４８ｂ及び第二の傾動部５２ｂを含んでいる故に、非破断接続変４４ａ及び４４ｂが存在する周方向寸法は比較的小さいにも拘らず、タンパーエビデント裾部６に対して本体４が相当な長さに亘って上方に離間することを許容する。従って、口頸部５８から本体４を離脱するためには本体４を相当な長さに亘って本体４を上昇せしめる必要がある場合にも、特に問題を発生せしめることなく本体４を口頸部５８から離脱することができる。更に、タンパーエビデント裾部６に作用する開方向への回転に対する抵抗に起因して、タンパーエビデント裾部６は本体４に対して閉方向（図３及び図４において時計方向）に相対的に移動せんとする。しかしながら、タンパーエビデント裾部６が本体４に対して閉方向に相対的に若干移動せしめられると、本体４のスカート壁１０に形成されている突出片４０がタンパーエビデント裾部６に当接（更に詳しくは、タンパーエビデント裾部６における、開口３８の下方に拡張されている周方向中央部における下部両側縁を規定している縁に当接）し、これによって本体４に対するタンパーエビデント裾部６の閉方向への相対的移動が阻止される。従って、非破断接続片４４ａ及び４４ｂに過剰応力が作用して非破断接続片４４ａ及び４４ｂが破断されてしまうことが充分確実に回避される。
【００２５】
容器蓋２の本体４が口頸部５８から離脱された後においては、例えば非破断接続片４４ａ及び４４ｂの比較的薄肉の中間部５０ａ及び５０ｂをヒンジ支点として本体４を口頸部５８から遠ざかる方向に、図５に図示する状態まで旋回せしめる。かくすると、本体４に形成されている突出片４０の下端部（先端部）外側面が口頸部の係止あご部６２の上面に当接し、突出片４０の外面に形成されている段部４２が係止あご部６２の上面に係止せしめられる共に、本体４のスカート壁１０の下端がタンパーエビデント裾部６の外周面に当接し、これによって本体４は図５に図示する位置に解除自在に保持される。従って、消費者は本体４の存在によって阻害されることなく、容器内に存在する清涼飲料の如き内容物を飲食することができる。
【００２６】
内容物の飲食を途中で中断した場合には、図５に図示する位置に保持されている本体４を口頸部５８に接近する方向に旋回せしめて再び口頸部５８に被嵌し、そして容器蓋２を閉方向に回転せしめて口頸部５８の雄螺条６０に容器蓋２の雌螺条２０を螺合せしめ、かくして容器蓋２を再び図４に図示する状態に近似した状態にせしめ、口頸部５８を仮密封することができる。
【符号の説明】
【００２７】
２：容器蓋
４：本体
６：タンパーエビデント裾部
８：天面壁
１０：スカート壁
２０：雌螺条
２６：破断可能橋絡部
２８：間隙
３２：係止手段
４０：突出片
４４ａ：非破断接続片
４４ｂ：非断説接続片
５８：口頸部
６０：雄螺条
６２：係止あご部
【図１】
2011031912.tif 000003
【図２】
2011031912.tif 000004
【図３】
2011031912.tif 000005
【図４】
2011031912.tif 000006
【図５】
2011031912.tif 000007